(57)【特許請求の範囲】
【請求項１】
生体の少なくとも腹部を含む下半身の対象部位に装着されて前記対象部位を圧迫する圧迫装着体を備え、前記圧迫装着体により前記対象部位を圧迫することで、当該生体の上半身の血圧の低下を抑制する圧迫装置と、
前記圧迫装着体の内部の空気量を調整することにより前記圧迫装置が前記対象部位を圧迫する圧迫力を制御する制御部と、を備え、
前記制御部は、前記対象部位の体積変化に応じて変化する物理量として前記生体が吐く息の圧力を前記生体の呼吸周期よりも十分に短い周期で取得し、取得した前記物理量が前記対象部位の体積が増える方向に変化した場合に前記空気量を減少させる、及び／又は、取得した前記物理量が前記対象部位の体積が減る方向に変化した場合に前記空気量を増加させる、
圧迫システム。
【請求項２】
前記生体の脳酸素濃度を前記制御部にフィードバックする第１フィードバック機構をさらに備え、
前記制御部は、
前記第１フィードバック機構によりフィードバックされる前記脳酸素濃度に基づいて前記圧迫力の目標値を設定し、
取得した前記物理量の変化に応じて前記圧迫力を前記目標値に近づける、
請求項１に記載の圧迫システム。
【請求項３】
前記生体の血圧を前記制御部にフィードバックする第２フィードバック機構をさらに備え、
前記制御部は、前記第２フィードバック機構によりフィードバックされる前記血圧及び前記脳酸素濃度に基づいて前記圧迫力の目標値を設定する、
請求項２に記載の圧迫システム。
【請求項４】
前記圧迫装着体は、前記対象部位に装着されたときに前記対象部位の関節部位を露出させる若しくは伸縮部材で覆う形状に形成されている、
請求項１から３の何れか１項に記載の圧迫システム。
【発明の詳細な説明】
【技術分野】
【０００１】
本発明は、圧迫システムに関する。
【背景技術】
【０００２】
前記圧迫システムとして、例えば、特許文献１には、生体の血圧を非侵襲で制御するための血圧制御装置であって、前記生体の血圧値に関連する血圧関連値を周期的に検出する血圧関連値検出装置と、前記生体の一部を圧迫するために該生体の一部に装着される生体圧迫装置と、前記血圧関連値検出装置によって検出された血圧関連値が目標値或いは目標範囲内となるように該血圧関連値に基づいて前記生体圧迫装置の圧迫状態を自動的に変更する圧迫状態制御装置とを、含むことを特徴とする血圧制御装置が開示されている。
【先行技術文献】
【特許文献】
【０００３】
【特許文献１】特開２００５−３４８９０３号公報
【発明の概要】
【発明が解決しようとする課題】
【０００４】
上記特許文献１に記載の血圧制御装置（圧迫システム）では、血圧の値がフィードバックされるのみで、好適な力で生体の一部（対象部位）を圧迫することが難しい（例えば、後述のように、腹式呼吸を阻害しないような圧迫などが難しい。）。また、特許文献１における生体圧迫装置（圧迫装置）は、一般的なパンツタイプであり、装着したときに生体が動き難いという不都合があった。
【０００５】
本発明及び他の発明の目的は、生体の下半身の対象部位を好適に圧迫できる圧迫システムを提供することである。また、他の発明の目的は、装着されても生体が動きやすい圧迫装置を提供することである。
【課題を解決するための手段】
【０００６】
本発明に係る圧迫システムは、
生体の少なくとも腹部を含む下半身の対象部位に装着されて前記対象部位を圧迫する圧迫装着体を備え、前記圧迫装着体により前記対象部位を圧迫することで、当該生体の上半身の血圧の低下を抑制する圧迫装置と、
前記圧迫装着体の内部の空気量を調整することにより前記圧迫装置が前記対象部位を圧迫する圧迫力を制御する制御部と、を備え、
前記制御部は、前記対象部位の体積変化に応じて変化する物理量として前記生体が吐く息の圧力を前記生体の呼吸周期よりも十分に短い周期で取得し、取得した前記物理量が前記対象部位の体積が増える方向に変化した場合に前記空気量を減少させる、及び／又は、取得した前記物理量が前記対象部位の体積が減る方向に変化した場合に前記空気量を増加させる。
【０００７】
圧迫システムは、前記生体の脳酸素濃度を前記制御部にフィードバックする第１フィードバック機構をさらに備え、
前記制御部は、
前記第１フィードバック機構によりフィードバックされる前記脳酸素濃度に基づいて前記圧迫力の目標値を設定し、
取得した前記物理量の変化に応じて前記圧迫力を前記目標値に近づける、
ようにしてもよい。
圧迫システムは、前記生体の血圧を前記制御部にフィードバックする第２フィードバック機構をさらに備え、
前記制御部は、前記第２フィードバック機構によりフィードバックされる前記血圧及び前記脳酸素濃度に基づいて前記圧迫力の目標値を設定する、
ようにしてもよい。
前記圧迫装着体は、前記対象部位に装着されたときに前記対象部位の関節部位を露出させる若しくは伸縮部材で覆う形状に形成されている、
ようにしてもよい。
【０００８】
他の発明の第１の観点に係る圧迫システムは、
生体の一部である対象部位を圧迫する圧迫装置と、
前記圧迫装置が前記対象部位を圧迫する圧迫力を制御する制御部と、を備え、
前記制御部は、前記対象部位の体積変化に応じて前記圧迫力を変化させる制御を行う、
ことを特徴とする。
なお、前記制御部は、前記対象部位の体積が増えたときに前記圧迫力を減少させ、及び／又は、前記対象部位の体積が減ったときに前記圧迫力を増加させる、ようにするとよい。
また、圧迫システムは、前記生体の脳酸素濃度を前記制御部にフィードバックする第１フィードバック機構をさらに備え、
前記制御部は、前記第１フィードバック機構によりフィードバックされる前記脳酸素濃度に基づいて前記圧迫力の目標値を設定し、前記対象部位の体積変化に応じて前記圧迫力を変化させて当該圧迫力を前記目標値に近づける、
ようにしてもよい。
また、圧迫システムは、前記生体の血圧を前記制御部にフィードバックする第２フィードバック機構をさらに備え、
前記制御部は、前記第２フィードバック機構によりフィードバックされる前記血圧及び前記脳酸素濃度に基づいて前記圧迫力の目標値を設定する、
ようにしてもよい。
【０００９】
他の発明の第２の観点に係る圧迫システムは、
生体の一部である対象部位を圧迫する圧迫装置と、
前記圧迫装置が前記対象部位を圧迫する圧迫力を制御する制御部と、
前記生体の脳酸素濃度を前記制御部にフィードバックするフィードバック機構と、を備え、
前記制御部は、前記フィードバック機構によりフィードバックされる前記脳酸素濃度が目標値又は目標範囲内になるように前記圧迫力を制御する、
ことを特徴とする。
【００１０】
他の発明の第３の観点に係る圧迫装置は、
生体の一部である対象部位に装着され、当該対象部位を圧迫する圧迫装着体を備え、
前記圧迫装着体は、前記対象部位の関節部位で分かれた複数の装着体からなるか、又は、前記対象部位に装着されたときに当該関節部位を露出させる若しくは伸縮部材で覆う形状に形成されている、
ことを特徴とする。
【発明の効果】
【００１１】
本発明に係る圧迫システム及び他の発明の第１及び第２の観点に係る圧迫システムによれば、生体の下半身の対象部位を好適に圧迫できる。また、他の発明の第３の観点に係る圧迫装置によれば、当該圧迫装置が装着されても生体は動きやすい。
【図面の簡単な説明】
【００１２】
【図１】本発明の一実施形態に係る圧迫システムの全体構成を示す図である。
【図２】本発明の一実施形態に係る圧力制御回路のブロック構成を示す図である。
【図３】理想的なパンツ圧、実際のパンツ圧などの関係グラフを示す図である。
【図４】パンツ圧、血圧、脳酸素飽和度などの関係グラフを示す図である。
【図５】パンツ圧、血圧、脳酸素飽和度などの関係グラフを示す図である。
【図６】第１装着部の図である。
【図７】第２装着部の図である。
【図８】圧迫パンツを人体に装着したときの様子を示す図である。
【発明を実施するための形態】
【００１３】
本発明の一実施形態に係る圧迫システム１を、図面を参照して説明する。
【００１４】
図１に示すように、圧迫システム１は、圧迫パンツ２０と、コンプレッサ２１と、エアタンク２２と、減圧器２３と、電空レギュレータ２４と、排気用バルブ２５と、リリーフバルブ２６と、を備える。
【００１５】
コンプレッサ２１と、エアタンク２２と、減圧器２３と、電空レギュレータ２４と、排気用バルブ２５と、リリーフバルブ２６とは、患者Ｘに装着された圧迫パンツ２０を膨張させたり、収縮させたりする空圧システムを構成する。
【００１６】
圧迫パンツ２０は、起立性低血圧などを患う患者Ｘの下半身に装着されて、患者Ｘの下半身を圧迫する。具体的には、患者Ｘが起き上がるときなどに（血圧等が低下するときに）、患者Ｘの下半身を圧迫する。この圧迫によって、患者Ｘの下半身の血を上半身に絞り出すようにし、患者Ｘが寝た状態から起き上がったときの上半身の血圧低下や脳酸素濃度（脳酸素飽和度とも言われる。）の低下を抑制する。これによって、血圧低下や脳酸素濃度の低下による失神を防止する。
【００１７】
圧迫パンツ２０は、化学繊維などによって形成されており、３つの部分に分割されている（詳細な構造については後述）。当該３つの部分のうちの１つは、腹部に装着される第１装着部２０Ａであり、もう１つは、左足に装着される第２装着部２０Ｂであり、最後の１つは、右足に装着される第３装着部２０Ｃである。
【００１８】
第１装着部２０Ａ〜第３装着部２０Ｃは、それぞれ、袋状になっており、内部に空気が供給されることで膨張する。第１装着部２０Ａ〜第３装着部２０Ｃ内の空気の量は、電空レギュレータ２４によって調整される。第１装着部２０Ａが膨張することで、患者Ｘの腹部が圧迫される。第２装着部２０Ｂが膨張することで、患者Ｘの左足が圧迫される。第３装着部２０Ｃが膨張することで、患者Ｘの右足が圧迫される。このような圧迫によって、患者Ｘの下半身が圧迫される。
【００１９】
コンプレッサ２１は、空気（大気）を圧縮し、圧縮した空気（以下、第１圧縮空気という。）をエアタンク２２に供給する。
【００２０】
エアタンク２２は、コンプレッサ２１から供給された第１圧縮空気を蓄えるタンクである。エアタンク２２により、コンプレッサ２１で発生させた圧縮空気のエネルギーを蓄えることができる。エアタンク２２に蓄えられた第１圧縮空気は減圧器２３に供給される。
【００２１】
減圧器２３は、エアタンク２２から供給される第１圧縮空気の気圧を電空レギュレータ２４で使用可能な気圧まで減圧する。なお、減圧器２３によって減圧された空気は、大気圧よりも高い気圧の空気であり、従って大気よりも圧縮されている。なお、減圧器２３によって減圧された空気は（以下、第２圧縮空気という。）。電空レギュレータ２４に供給される。
【００２２】
電空レギュレータ２４は、減圧器２３から供給される第２圧縮空気を圧迫パンツ２０に供給したり、圧迫パンツ２０に供給した第２圧縮空気を圧迫パンツ２０から抜いたりする。つまり、電空レギュレータ２４は、圧迫パンツ２０（第１装着部２０Ａ〜第３装着部２０Ｃ）内の空気の量を調整する。なお、第２圧縮空気を圧迫パンツ２０から抜くときには、電空レギュレータ２４は、当該第２圧縮空気を圧迫システム１の外部に排気すればよい。電空レギュレータ２４は、コントローラ７０によって制御される。
【００２３】
排気用バルブ２５は、電磁バルブであり、コントローラ７０による制御のもとで、開閉する。排気用バルブ２５は、開いたときに、空圧システム内の第１圧縮空気を空圧システム外部に排気する。なお、排気用バルブ２５には、サイレンサが取り付けられてもよく、これによって、排気時の音を小さくするようにしてもよい。
【００２４】
リリーフバルブ２６は、電空レギュレータ２４近傍に配置され、電空レギュレータ２４から圧迫パンツ２０に供給される第２圧縮空気の気圧が所定気圧以上になったときに、当該第２圧縮空気を放出する。このように、リリーフバルブ２６は、圧迫パンツ２０の内の第２圧縮空気の気圧が過度に大きくなることを防止する安全弁として機能する。
【００２５】
圧迫システム１は、さらに、気圧センサ３１と、パンツ圧センサ３３と、血圧センサ４１と、脳酸素濃度センサ４３と、緊急停止スイッチ５２と、操作部５４と、表示部５６と、コントローラ７０と、を備える。これらは、空圧システムを制御する制御系を構成する。
【００２６】
気圧センサ３１は、半導体の圧力センサなどである。気圧センサ３１は、エアタンク２２と減圧器２３との間に配置され、エアタンク２２から減圧器２３に供給される第１圧縮空気の気圧を検知する。気圧センサ３１は、検知した第１圧縮空気の気圧を示す電気信号（以下、気圧信号という。）をコントローラ７０に供給する。
【００２７】
パンツ圧センサ３３は、半導体の圧力（気圧）センサなどである。パンツ圧センサ３３は、第２圧縮空気を第１装着部２０Ａに供給する供給路上の第１装着部２０Ａ近傍の位置に設けられ、第２圧縮空気の気圧、つまり、第１装着部２０Ａの内圧（以下、パンツ圧という。）を検知する。パンツ圧センサ３３は、検知した前記内圧を示す電気信号（以下、パンツ圧信号という。）をコントローラ７０に供給する。
【００２８】
血圧センサ４１は、患者Ｘの腕に取り付けられて、患者Ｘの上半身の血圧を検知する血圧計などからなる。血圧センサ４１は、検知した血圧に基づいて、平均血圧を算出し、算出した平均血圧を示す電気信号（以下、血圧信号という。）をコントローラ７０に供給する。なお、平均血圧は、例えば、（（収縮期血圧の値＋拡張期血圧の値）÷３）＋下の血圧の値によって算出される値である。
【００２９】
脳酸素濃度センサ４３は、患者Ｘの頭（額など）に取り付けられて、患者Ｘの脳酸素の濃度である脳酸素濃度（血流によって脳に供給される酸素の濃度）を検知するセンサである。脳酸素濃度センサ４３は、検知した脳酸素濃度を示す電気信号（以下、脳酸素濃度信号という。）をコントローラ７０に供給する。
【００３０】
緊急停止スイッチ５２は、押釦などから構成され、当該緊急停止スイッチ５２が操作されたことを示す信号（以下、緊急停止信号という。）をコントローラ７０に供給する。
【００３１】
操作部５４は、患者Ｘの下半身を圧迫パンツ２０で圧迫したときの当該患者Ｘの血圧の目標値を入力するものであり、ダイアル式の操作入力装置などからなる。操作部５４は、圧迫システム１を動作させるユーザ（患者Ｘ自身でもよいし、医師、看護師などの他者であってもよい。）によって操作入力された目標値（以下、目標血圧という。）を示す信号（以下、目標血圧信号という。）をコントローラ７０に供給する。なお、この実施の形態では、目標血圧を、患者Ｘが起き上がったとき（起立時など）の平均血圧の目標値としている。当該目標血圧は、医師などが予測したものなどであればよい。
【００３２】
表示部５６は、液晶表示装置等からなり、コントローラ７０の制御のもとで、例えば、操作部５４により入力された目標血圧を表示する。
【００３３】
コントローラ７０は、マイクロコンピュータなどのプログラムに従って処理を実行する各種プロセッサや、プログラムを使用しない論理回路などの各種回路から構成される。コントローラ７０は、圧迫システム１の動作を制御する。なお、コントローラ７０は、デジタル回路であってもよいし、アナログ回路であってもよい。また、コントローラ７０は、一部アナログ回路で、一部デジタル回路であってもよい。
【００３４】
コントローラ７０は、気圧センサ３１からの気圧信号が示す気圧を監視し、当該気圧の値が予め定められた所定の閾値（異常な高圧と判断させる気圧の値）を超えたときに、排気用バルブ２５を開く。このような制御によって、図１の空圧システム内の第１圧縮空気の気圧が異常な高圧になったときに、空圧システム内の第１圧縮空気を排出できる。これにより、空圧システム内の気圧を下げることができ、圧迫システム１の安全性を確保することができる。
【００３５】
また、コントローラ７０は、緊急停止スイッチ５２から緊急停止信号が供給されたとき（例えば、患者Ｘに異常があったときに押される。）には、排気用バルブ２５を開くとともに、電空レギュレータ２４を制御して、圧迫パンツ２０内の第２圧縮空気を排出させる。このような動作により圧迫システム１の安全性を確保することができる。
【００３６】
また、コントローラ７０は、制御信号によって電空レギュレータ２４を制御することで、圧迫パンツ２０内の第２圧縮空気の量を調整し、患者Ｘの下半身を圧迫する力（以下、圧迫力という。）を制御する。電空レギュレータ２４の制御は、コントローラ７０に含まれる圧力制御回路７０Ａ（図２参照）によって行われる。
【００３７】
圧力制御回路７０Ａは、例えば、図２に示すようなブロック構成を有するように構成される。例えば、コントローラ７０がマイクロコンピュータなどのプロセッサで実現されるときには、図２のようなブロック図を実現するプログラムを用意すればよい。
【００３８】
圧力制御回路７０Ａは、移動平均フィルタ７０１と、加え合わせ点７０３と、ＰＩＤ（Proportional-Integral-Derivative）制御器７０５と、を備える。
【００３９】
移動平均フィルタ７０１には、血圧センサ４１からの血圧信号が供給される。移動平均フィルタ７０１は、血圧信号が示す平均血圧の値を０．０１秒ごとにサンプリングし、２００サンプル（２秒分の平均血圧のデータ）について移動平均を求める。移動平均フィルタ７０１は、求めた移動平均（以下、移動平均血圧という。）を加え合わせ点７０３に供給する。なお、移動平均フィルタ７０１側で、平均血圧を算出してもよい。具体的には、血圧センサ４１は、血圧を示す電気信号を出力し、移動平均フィルタ７０１は、当該電気信号に基づいて、血圧の値をサンプリングして（例えば、０．０１秒ごとにサンプリング）、所定のサンプリング数（２００サンプル）の血圧の値から移動平均血圧を算出してもよい。
【００４０】
加え合わせ点７０３は、減算器などからなり、目標血圧も供給される。目標血圧は、操作部５４で入力されてコントローラ７０のメモリなどに保持され、加え合わせ点７０３に供給されるものとする。加え合わせ点７０３では、目標血圧の値から移動平均血圧の値が減じられる。減じた後の値は、血圧偏差としてＰＩＤ制御器７０５に供給される。
【００４１】
ＰＩＤ制御器７０５は、加え合わせ点７０３から供給される血圧偏差に基づいてＰＩＤ制御を行って新たな目標パンツ圧を出力する。ＰＩＤ制御器７０５が行うＰＩＤ制御の伝達関数のパラメータは、シミュレーション等によって予め求めて設定されていればよい（他のＰＩＤ制御器についても同じ。）。目標パンツ圧は、血圧信号が示す血圧（つまり、患者Ｘの血圧の値）が目標血圧よりも低ければ増加し、血圧信号が示す血圧が目標血圧値よりも高ければ減少する。このような関係によって、圧迫パンツ２０が患者Ｘの下半身を圧迫する力を適切に制御できる。目標パンツ圧は、ＰＩＤ制御器７０５から加え合わせ点７１５に供給される。
【００４２】
また、圧力制御回路７０Ａは、移動平均フィルタ７０７と、加え合わせ点７０９と、ＰＩＤ制御器７１１と、を備える。
【００４３】
移動平均フィルタ７０７には、脳酸素濃度センサ４３からの脳酸素濃度信号が供給される。移動平均フィルタ７０７は、脳酸素濃度信号が示す脳酸素濃度の値を０．０１秒ごとにサンプリングし、２０サンプル（０．２秒分の脳酸素濃度のデータ）について移動平均を求める。移動平均フィルタ７０７は、求めた移動平均（以下、移動平均脳酸素濃度という。）を加え合わせ点７０９に供給する。
【００４４】
加え合わせ点７０９は、減算器などからなり、目標脳酸素濃度も供給される。目標脳酸素濃度は、コントローラ７０のメモリなどに予め記憶された固定値とし、加え合わせ点７０９に供給されるものとする。加え合わせ点７０９では、目標脳酸素濃度の値から移動平均脳酸素濃度の値が減じられる。減じた後の値は、脳酸素濃度偏差としてＰＩＤ制御器７１１に供給される。
【００４５】
ＰＩＤ制御器７１１は、加え合わせ点７０９から供給される脳酸素濃度偏差に基づいてＰＩＤ制御を行って目標パンツ圧補正値を出力する。目標パンツ圧補正値は、脳酸素濃度信号が示す脳酸素濃度（つまり、患者Ｘの脳酸素濃度）が目標脳酸素濃度よりも低ければ増加し、脳酸素濃度信号が示す脳酸素濃度が目標脳酸素濃度よりも高ければ減少する。このような関係によって、圧迫パンツ２０が患者Ｘの下半身を圧迫する力を適切に制御できる。目標パンツ圧補正値は、ＰＩＤ制御器７１１から加え合わせ点７１５に供給される。
【００４６】
また、圧力制御回路７０Ａは、移動平均フィルタ７１３と、加え合わせ点７１５と、ＰＩＤ制御器７１７と、を備える。
【００４７】
移動平均フィルタ７１３には、パンツ圧センサ３３からのパンツ圧信号が供給される。移動平均フィルタ７１３は、パンツ圧信号が示すパンツ圧の値を０．００２秒ごとにサンプリングし、２０サンプル（０．０４秒分のパンツ圧のデータ）について移動平均を求める。移動平均フィルタ７１３は、求めた移動平均（以下、移動平均パンツ圧という。）を加え合わせ点７１５に供給する。
【００４８】
加え合わせ点７１５は、加算器及び減算器などからなり、目標パンツ圧の値と目標パンツ圧補正値とを加算し、加算した値から移動平均パンツ圧の値を減算する。こうして算出された値は、パンツ圧偏差としてＰＩＤ制御器７１７に供給される。
【００４９】
ＰＩＤ制御器７１７は、加え合わせ点７１５から供給されるパンツ圧偏差に基づいてＰＩＤ制御を行って電空レギュレータ２４の操作量を求め、求めた操作量を示す制御信号を電空レギュレータ２４に供給する。操作量は、パンツ圧偏差が正の値であれば（実際のパンツ圧が、目標パンツ圧＋補正値の値よりも小さいとき）、圧迫パンツ２０に新たに第２圧縮空気を供給することを示すものとなる（操作量の絶対値の大きさは、パンツ圧偏差の絶対値の大きさに応じた大きさになる））。操作量は、パンツ圧偏差が負の値であれば（実際のパンツ圧が、目標パンツ圧＋補正値の値よりも大きいとき）、圧迫パンツ２０から第２圧縮空気を新たに抜くことを示すものとなる（操作量の絶対値の大きさは、パンツ圧偏差の絶対値の大きさに応じた大きさになる）。
【００５０】
電空レギュレータ２４は、ＰＩＤ制御器７１７から供給される制御信号が示す操作量で動作し、当該操作量に対応した量の第２圧縮空気を圧迫パンツ２０に新たに供給したり、圧迫パンツ２０から新たに抜いたりする。なお、供給等する第２圧縮空気の量は、操作量の絶対値の大きさに応じて変化する。このように電空レギュレータ２４の動作を制御することで、圧迫パンツ２０の内圧（つまり、圧迫力、膨張度合いなど）が制御される。
【００５１】
なお、パンツ圧偏差が正の値であれば、圧迫パンツ２０に新たに所定量（固定の量）の第２圧縮空気を供給し、パンツ圧偏差が負の値であれば、圧迫パンツ２０から新たに所定量（固定の量）の第２圧縮空気を抜くような操作量を電空レギュレータ２４に供給するように圧力制御回路７０Ａを構成してもよい。また、操作量の絶対値の大きさに係わらず、第２圧縮空気の新たな供給量及び抜く量が固定となるように、電空レギュレータ２４を構成してもよい。
【００５２】
上記構成によって、圧力制御回路７０Ａは、患者Ｘの血圧や脳酸素濃度が低くなるにつれて、電空レギュレータ２４を制御して、圧迫パンツ２０に第２圧縮空気の量を増やしていき、圧迫パンツ２０内の第２圧縮空気の量（圧迫パンツ２０の内圧）を増やしていく。これによって、圧迫パンツ２０が膨張し、圧迫パンツ２０の下半身への圧迫力が増え、下半身が圧迫されることで、患者Ｘの下半身の血を上半身に絞り出すことができ、これによって、患者Ｘの血圧や脳酸素濃度低下による失神を防ぐことができる正常範囲に近づけること（血圧を正常範囲内にすることを含む。）ができる。従って、血圧の低下（脳酸素の欠乏）による失神を防止できる。
【００５３】
特にこの実施の形態では、脳酸素濃度をフィードバックして圧迫パンツ２０の圧迫力を制御する。本願発明者は、圧迫パンツ２０による圧迫が、血圧のみならず、脳酸素濃度も向上させることを見出して、圧迫パンツ２０の圧迫力を制御することで脳酸素濃度を制御できることを見出した。脳酸素濃度は失神に直接関係するので、この実施の形態のように、脳酸素濃度に基づく当該制御により、患者Ｘの下半身を好適に圧迫できる（例えば、脳酸素濃度を適切に制御できる。）。また、血圧と脳酸素濃度との両者をフィードバックすることで、患者Ｘの下半身をより好適に圧迫できる。
【００５４】
また、圧迫パンツ２０の第１装着部２０Ａ内の第２圧縮空気の量が同じであっても、患者Ｘの腹式呼吸によって患者の腹部の体積が増減し、これによってパンツ圧も増減する。具体的には、腹部の体積が増えれば（息を吸ったとき）、実際のパンツ圧が上昇し、腹部の体積が減れば（息を吐いたとき）、実際のパンツ圧は減少する。このため、脳酸素濃度の低下や血圧の低下を防ぐための理想的なパンツ圧と、実際のパンツ圧（呼吸によって増減するパンツ圧）とは実際には一致しない（図４参照）。理想的なパンツ圧よりもパンツ圧が上昇すると、圧迫パンツ２０の圧迫によって患者Ｘは呼吸が苦しいと感じ、理想的なパンツ圧よりもパンツ圧が減少すると、圧迫力が足りなくなってしまう。このように、第１装着部２０Ａ内の第２圧縮空気の量を腹部の体積変化によらず一定とすると、安定した圧迫力が得られないことがある。
【００５５】
この実施の形態では、パンツ圧をフィードバックし、フィードバックしたパンツ圧に応じて、圧迫パンツ２０内の第２圧縮空気の量を調整することで、実際のパンツ圧を目標パンツ圧に近づける制御を行い（特に、実際のパンツ圧に応じて、第２圧縮空気の供給量を補正することで）、呼吸によるパンツ圧の変化を打ち消すようにしている（ここでは、目標パンツ圧が同じであれば、呼吸があっても、目標パンツ圧が一定になるようにしている）。これによって、呼吸が苦しい、圧迫力が足りないなどの上記不都合を解消できる。
【００５６】
図４及び図５は、多系統萎縮症及び低血圧（起立性）の６９才の男性に本圧迫システム１（但し、脳酸素濃度のフィードバックは行わなかった。脳酸素濃度のフィードバックを行っても良好な結果を得ることができると考えられる。）を使用したときのグラフであり、当該男性の脳酸素飽和度（脳酸素濃度）と、起立角度（寝た状態が０度）と、血圧と、呼吸曲線と、パンツ圧と、を示す。図４（Ａ）のグラフは圧迫パンツ２０を動作させなかったとき（圧迫を行わなかったとき）のグラフである。図４に示すように、圧迫システム１が動作しないときには、当該男性の起立によって、顕著な脳酸素濃度低下と血圧低下が発生し、当該男性は、２分３０秒で前失神の状態となった。図４（Ｂ）のグラフは圧迫パンツ２０を動作させたときのグラフであり、図５は、図４（Ｂ）のうちの一部を拡大したグラフである。これらグラフが示すように、圧迫システムを動作させたときには、当該男性が起立しても、脳酸素濃度低下と血圧低下を予防でき、失神の兆候もなかった。また、パンツ圧のフィードバック制御によって、呼吸によるパンツ圧への影響も打ち消されており、当該男性は、呼吸苦を感じなかった（図５参照）。
【００５７】
また、上記実施の形態のように、血圧と、脳酸素濃度と、パンツ圧とについて、移動平均を取る周期（ＰＩＤ制御に使用されるフィードバック情報の入力周期）を異ならせることで、フィードバック制御をより適正化することができる。特に,パンツ圧は、血圧等に比べても、呼吸によって短期間に急激に変化するので、パンツ圧の移動平均を取る周期を血圧などよりも短くすることで、パンツ圧についてより精度のよいフィードバック制御が可能となる。
【００５８】
次に、圧迫パンツ２０の形状について説明する。
【００５９】
図６は、第１装着部２０Ａを示す図である。第１装着部２０Ａは、膨張部２１１と、第１面ファスナー部２１２と、第２面ファスナー部２１３と、空気供給チューブ２１４と、を備える。
【００６０】
膨張部２１１と、第１面ファスナー部２１２と、第２面ファスナー部２１３と、は、化学繊維などで形成される。
【００６１】
膨張部２１１の両端辺に、それぞれ面ファスナーを備える第１面ファスナー部２１２及び第２面ファスナー部２１３と、が連結されており、第１装着部２０Ａは、帯形状となっている。第１装着部２０Ａは、患者Ｘの腹部を含む胴体（特に胴体の下部）に巻かれる。第１装着部２０Ａが患者の胴体に巻かれたときに、第１面ファスナー部２１２と第２面ファスナー部２１３とが背中に回り込み面ファスナー同士が係合し合うことで、第１装着部２０Ａは胴体に巻き付けられて固定される（図８に装着状態を示す。）。これによって、第１装着部２０Ａは腹部に装着される。第１装着部２０Ａが胴体に装着されたとき、膨張部２１１は、胴体の前側の腹部に位置する。
【００６２】
膨張部２１１は、内部に袋体２１１Ａを有する。袋体２１１Ａには、空気供給チューブ２１４が接続されている。空気供給チューブ２１４は、電空レギュレータ２４に接続されており、電空レギュレータ２４からの第２圧縮空気は、空気供給チューブ２１４を介して袋体２１１Ａに供給される。第２圧縮空気が供給されることで、袋体２１１Ａが膨らみ、従って膨張部２１１（第１装着部２０Ａ）が膨張し、これによって、患者Ｘの特に前側腹部が圧迫される。
【００６３】
図７は、第２装着部２０Ｂを示す図である。第２装着部２０Ｂは、膨張部２２１と、第１面ファスナー部２２２と、第２面ファスナー部２２３と、空気供給チューブ２２４と、伸縮部２２５と、を備える。
【００６４】
膨張部２２１と、第１面ファスナー部２２２と、第２面ファスナー部２２３と、伸縮部２２５と、は、化学繊維などで形成される。
【００６５】
膨張部２２１の両端辺に、それぞれ面ファスナーを備える第１面ファスナー部２２２及び第２面ファスナー部２２３と、が連結されており、第２装着部２０Ｂは、太もも及びふくらはぎを含む足に巻き付く形状になっている。第２装着部２０Ｂが患者の足に巻かれたときに、第１面ファスナー部２２２と第２面ファスナー部２２３とが足の内側に回り込み面ファスナー同士が係合し合うことで、第２装着部２０Ｂは足に巻き付けられて固定される（図８に装着状態を示す。）。これによって、第２装着部２０Ｂは患者Ｘの左足に装着される。第２装着部２０Ｂが左足に装着されたとき、膨張部２２１は、左足の外側に位置する。
【００６６】
膨張部２２１は、内部に袋体２２１Ａを有する。袋体２２１Ａには、空気供給チューブ２２４が接続されている。空気供給チューブ２２４は、電空レギュレータ２４に接続されており、電空レギュレータ２４からの第２圧縮空気は、空気供給チューブ２２４を介して袋体２２１Ａに供給される。第２圧縮空気が供給されることで、袋体２２１Ａが膨らみ、従って膨張部２２１（第２装着部２０Ｂ）が膨張し、これによって、患者Ｘの足が圧迫される。
【００６７】
なお、第２装着部２０Ｂは、足に装着されたときに膝を覆う部分を切欠き２２６としたり、伸縮部２２５（伸縮可能なゴム繊維等により形成される）としたりしている。これによって、第２装着部２０Ｂは、足に装着されたときに、膝や膝裏を露出させたり伸縮部２２５で覆うようにしたりすることができる（図８では伸縮部２２５を省略している。）。
【００６８】
なお、第３装着部２０Ｃは、第２装着部２０Ｂと左右対象の構造となっているので、第３装着部２０Ｃの構成の説明は省略する。
【００６９】
圧迫パンツ２０は、患者Ｘに装着されたときに、股関節の部分で第１装着部２０Ａと、第２装着部２０Ｂ及び第３装着部２０Ｃとに分かれており、さらに、第２装着部２０Ｂ及び第３装着部２０Ｃは、膝関節を露出させたり、伸縮部で覆ったりしている。このため、患者Ｘが立ち上がるなどの動作を行うときであっても、圧迫パンツ２０が当該動作を阻害しないようになっており、患者Ｘは圧迫パンツ２０が装着されていても動きやすい。
【００７０】
なお、圧迫パンツ２０の形状は、適宜変更してもよい。第１装着部２０Ａは、背中側の部分が膨張するようにしてもよいが、当該膨張によって患者Ｘが寝ているときに背中が反ってしまうことがあるので、上記のように、腹部側の部分を膨張させた方がよい。また、第２装着部２０Ｂや第３装着部２０Ｃは、足の裏側（後側）の部分、内側（内股側）の部分、表側（前側）の部分の少なくともいずれかを膨張させてもよいが、これらの部分を膨張させると、患者Ｘは動き難くなるので、第２装着部２０Ｂや第３装着部２０Ｃは、上記のように足の外側の部分を膨張させた方がよい。
【００７１】
本発明は、この実施の形態に限定されず、この実施形態に種々の変更（構成の削除を含む）を加えることもできる。以下に変形例を提示するが、下記で例示する変形例は、適宜組合せることができる。
【００７２】
上記実施の形態では、第１装着部２０Ａ〜第３装着部２０Ｃに同じ供給ラインで第２圧縮空気を供給しているが、第１装着部２０Ａ〜第３装着部２０Ｃそれぞれへの空気の供給ラインを別個にして、それぞれの空気の量（圧迫力）を個別に制御してもよい。
【００７３】
圧迫する対象は、生体の一部であればよい。また、圧迫する対象は、腰のみ、足のみなどであってもよい。また、圧迫する対象は、他の部分であってもよい。
【００７４】
フィードバックされる血圧は、上記では、腕の血圧となっているが、脳への血流の血圧に関連する血圧であればよく、他の部分の血圧であってもよい。
【００７５】
また、上記実施の形態では、平均血圧を用いて制御を行っているが、収縮期血圧、拡張期血圧、又は、両者の間の範囲が、失神を防止する許容範囲内になるように、これらのいずれかをフィードバックしてもよい。フィードバックされる血圧、脳酸素濃度、パンツ圧は、上記のように血圧（平均血圧）そのもの、脳酸素濃度そのもの、パンツ圧そのものでなくてもよく、これらを間接的に示す情報（但し、血圧そのものと血圧を間接的に示す情報とは一対一の相関関係にあることが望ましい。脳酸素濃度、パンツ圧についても同様である。）であってもよい。これら情報がフィードバックされる場合であっても、血圧、脳酸素濃度、パンツ圧がフィードバックされることになる。
【００７６】
なお、図３を参照して説明した実際のパンツ圧の変動は、上記の呼吸の他、足など筋肉の収縮などによっても生じる。つまり、実際のパンツ圧の変動は、圧迫対象部位（特に、圧迫パンツが装着される部位）の体積変化によって生じる。このため、第２装着部２０Ｂのパンツ圧をフィードバックするようにして、圧迫力（第２圧縮空気の供給量など）を制御してもよい。なお、パンツ圧の制御は、例えば、呼吸の苦しさや圧迫力の足りなさを軽減出来る程度の制御であってもよい。
【００７７】
圧迫力（加圧パンツ２０に供給されている第２圧縮空気の量など）を制御するためにフィードバックされる情報は、圧迫対象部位の体積変化に応じて変化する物理量であればよく、パンツ圧の他、吐く息の圧力等を検出してフィードバックしてもよい。前記の物理量は、上記実施の形態では、圧迫対象部位の体積が増えると増加し、圧迫対象部位の体積が減ると減少するものである。しかし、フィードバック制御に用いられる物理量は、圧迫対象部位の体積が増えると減少し、圧迫対象部位の体積が減ると増加するものであってもよい（このような場合、例えば、物理量が増えたときには加圧パンツ２０内の第２圧縮空気を減らし、物理量が減ったときには加圧パンツ２０内の第２圧縮空気を増やすようにすればよい。）。
【００７８】
コントローラ７０は、例えば、圧迫対象部位の体積変化に応じて変化する物理量を取得し、取得した物理量の変化に応じて前記圧迫力を制御すればよいが（例えば、物理量の変化によって特定できる体積変化に応じて圧迫力を変化させるなど）、コントローラ７０に予め呼吸等の周期を設定しておき、コントローラ７０は、設定された周期に応じて圧迫力を増減させてもよい。圧迫力の増減の度合い（第２圧縮空気を減少又は増加させる量）は、固定であってもよい。
【００７９】
ＰＩＤ制御における伝達関数のパラメータは、フィードバックされる情報などに応じて適宜決定されればよい（失神を防止するために圧迫力を適切に制御するようにパラメータが設定されればよい。）。
【００８０】
圧迫システム１は、血圧や脳酸素濃度をフィードバックしない構成であってもよい。例えば、患者Ｘが立ち上がる際に、予め定められた量の第２圧縮空気を圧迫パンツ２０に供給してもよい。このような場合であっても、上記実施の形態のようにパンツ圧をフィードバックして、パンツ圧を調整するとよい。
【００８１】
上記圧迫システム１では、腹部の体積が増えたときにパンツ圧を減らし、腹部の体積が減ったときにパンツ圧を増やしているが、腹部の体積が増えたときにパンツ圧を減らすのみを行うか、腹部の体積が減ったときにパンツ圧を増やすのみする制御を行うようにしてもよい。例えば、パンツ圧が、目標のパンツ圧よりも低いときには圧迫パンツ２０の第２圧縮空気の量を増やすが、目標のパンツ圧よりも高いときには第２圧縮空気を減らすようにしてもよい。
【００８２】
上記圧迫システムでは、血圧に基づいて目標パンツ圧を設定し、脳酸素濃度に基づいて当該目標パンツ圧を補正するようしているが、脳酸素濃度に基づいて目標パンツ圧を設定し、血圧に基づいて目標パンツ圧を補正するようにしてもよい。また、フィードバックされる血圧が所定範囲内にあるときに、脳酸素濃度を用いたフィードバック制御を行うようしてもよい。また、フィードバックされる脳酸素濃度が所定範囲内にあるときに、血圧を用いたフィードバック制御を行うようしてもよい。目標となる脳酸素濃度や血圧は、ユーザによって指定されても、固定値であってもよい。
【００８３】
脳酸素濃度についてはフィードバックし、血圧やパンツ圧はフィードバックしないようにしてもよい。つまり、脳酸素濃度が正常値(目標値）となるように、脳酸素濃度を示す情報に基づいて圧迫力を制御し、血圧やパンツ圧のいずれか少なくとも一方は使用しないようにしてもよい。圧迫システム１は、例えば、血圧及び／又は脳酸素濃度が予め設定される各目標値（理想的な正常値の他、失神を防止できる程度の低い値などでもよい。）になる又は近づくように加圧パンツ２０内の第２圧縮空気の量（パンツ圧など）を増減させればよい（例えば、フィードバックされる血圧が目標値よりも低ければ第２圧縮空気の量を増やし、フィードバックされる血圧が目標値よりも高ければ第２圧縮空気の量を減らせばよい。脳酸素濃度についても同様である。）
【００８４】
圧迫システム１は、例えば、血圧、脳酸素濃度、圧迫対象部位の体積変化、の少なくともいずれかについてサーボ制御を行うものであればよく、その詳細な構成は上記実施の形態に限らず適宜変更できる。
【００８５】
上記実施の形態では、ＰＩＤ制御によるフィードバック制御を行っているが、各種の方法でフィードバック制御を行ってもよい。例えば、目標パンツ圧の変化を緩やかにするため、血圧偏差に応じて増加させる目標パンツ圧の増加量に上限値を設定してもよいし、増加量を固定としてもよい。このようなことは、目標パンツ圧補正値や操作量についても同様である。また、上記実施の形態では、目標パンツ圧を、フィードバックされる血圧及び脳酸素濃度とこれらの各目標値との偏差に基づいて設定し、当該目標パンツ圧を、フィードバックされるパンツ圧に基づいて補正して、電空レギュレータ２４の操作量を決定しているが、例えば、目標操作量（目標パンツ圧の一種としても捉えられる。）を、フィードバックされる血圧及び脳酸素濃度とこれらの各目標値との偏差に基づいて設定し、当該目標操作量を、フィードバックされるパンツ圧に基づいて補正して、電空レギュレータ２４の実際の操作量を決定してもよい。
【００８６】
電空レギュレータ２４の動作量（空気の供給量や排出量）と操作量とは、一定の関係にあればよく、どのような関係とするかは任意である。
【００８７】
患者Ｘの体の一部を加圧する方法としては、空気による膨張の他、各種気体や各種液体の供給による膨張によってもよく、また、機械的に体の一部を締め付けてもよい（例えば、内周の長さが機械的に変化するベルトのようなもので締め付けるなど）。
【００８８】
血圧、脳酸素濃度、パンツ圧などの目標値は、幅があってもよく、血圧、脳酸素濃度、パンツ圧などが目標値の範囲内に入るように、電空レギュレータ２４の操作量（圧迫力など）を制御してもよい。
【００８９】
また、本発明は、救急時のショック、手術時、献血時、透析時の低血圧の防止のための圧迫システムなどにも適用できる。また、神経疾患（シャイ・ドレーガー症候群、パーキンソン病など）、脊髄損傷、糖尿病神経症などの起立性低血圧を改善のための圧迫システムなどにも適用できる。また、本発明は、戦闘機のパイロットの失神防止のための圧迫システムなどにも適用可能である。
【符号の説明】
【００９０】
１・・・圧迫システム、２０・・・圧迫パンツ、２０Ａ・・・第１装着部、２０Ｂ・・・第２装着部、２０Ｃ・・・第３装着部、２４・・・電空レギュレータ、３１・・・気圧センサ、３３・・・パンツ圧センサ、４１・・・血圧センサ、４３・・・脳酸素濃度センサ、７０・・・コントローラ、７０Ａ・・・圧力制御回路
【図１】
0006775280.tif 000002
【図２】
0006775280.tif 000003
【図３】
0006775280.tif 000004
【図４】
0006775280.tif 000005
【図５】
0006775280.tif 000006
【図６】
0006775280.tif 000007
【図７】
0006775280.tif 000008
【図８】
0006775280.tif 000009